(57)【要約】  【課題】  締付けの際にボルトとフック部とが共回りすることを未然に防止し、しかもＲピン等の複雑な回り止め部品を使用することなく確実にボルトの弛みの発生を防止した新規なフックボルトを提供する。  【解決手段】  頭部２と軸部３とを備たボルト１と、該ボルト１が螺合される貫通ネジ孔５を備えたフック部材４と、前記ボルト１に螺合するネジ孔１０を備えたナット部材９とからなり、フック部材４にはフック部７と回動阻止片８とが設けられていてボルト締付けの際にボルト１とフック部材４との共回りを防止するように構成する。フック部材４の下面には凸部６を形成し、ナット部材９の上面にフック部材４の凸部６が嵌合する凹部１１を設け、凸部６と凹部１１の一方をボルト軸芯に対して偏芯させて、凹部１１と偏芯した凸部６との嵌合によりフック部材４とナット部材９がボルト軸芯に対して相対的に直交する方向に圧迫されてボルトの回動を阻止するように構成する。【選択図】  図２
2005233292.tif 000002
【特許請求の範囲】
【請求項１】
回動操作部となる頭部と軸部とを備えたボルトと、該ボルトが螺合される貫通ネジ孔を備えたフック部材と、前記ボルトに螺合されるネジ孔を備えたナット部材とからなり、フック部材の下面で貫通ネジ孔の周縁にリング状の凸部又は凹部が形成され、ナット部材の上面でナットネジ孔周縁に前記フック部材の凸部又は凹部に嵌合する凹部又は凸部が設けられ、前記凸部又は凹部の何れか一方がボルト軸芯に対して偏芯して形成されていてフック部材を貫通したボルト先端にナット部材を螺合したときに凸部と凹部との嵌合によりフック部材とナット部材がボルト軸芯に対して相対的に直交する方向に圧迫されるように構成されており、更に前記フック部材に被締結部材の下面に当接するフック部と被締結部材の一部に係合する回動阻止片とが設けられている緩み止めフックボルト。
【請求項２】
前記凸部がフック部材に形成され、前記凹部がナット部材に形成されている請求項１に記載の緩み止めフックボルト。
【請求項３】
前記凸部がナット部材に形成され、前記凹部がフック部材に形成されている請求項１に記載の緩み止めフックボルト。
【発明の詳細な説明】
【技術分野】
【０００１】
本発明は、主として鉄道の橋梁の鋼材に枕木を固定するのに使用されるフックボルトに関し、殊に固定作業が容易で且つ列車の振動等によって締付けが緩むことのない緩み止めフックボルトに関する。
【背景技術】
【０００２】
従来、枕木を橋梁のＨ型鋼材に固定する手段として例えば特許文献１並びに特許文献２に示すような技術が知られている。特許文献１の手段によれば、先端をＬ形に曲げたフック部を有するフックボルトを枕木に開けた貫通孔に挿通させ、先端のフック部をＨ型鋼に引掛けて枕木上方に露出した軸部上端部にナットを螺合して締結する構造となっている。そしてナットで締め付ける際にフックボルトが共回りするのを防止するのに、フック部に平面略長方形のゲタ座金を溶接してその両翼部を鋼材端面に当接させる等の煩雑な手段がとられている。またナットの緩み止め手段としてコイルバネをナットと座金との間に装着して列車の振動をコイルバネで吸収させる等の工夫がなされている。更に、特許文献２の手段によれば、上記の共回りを防止するのに、フックボルトの軸の一部並びに枕木の貫通孔を断面四角等の非真円孔とし、ナットの弛みを防止するためにナット上方に突出させたフックボルトに横穴を開けてこれにＲピンを差し込むと共にスプリングワッシャを併用している。
【特許文献１】特開平１０−８２４０７号公報
【特許文献２】特開平２００１−４９６２０号公報
【発明の開示】
【発明が解決しようとする課題】
【０００３】
しかし上記の特許文献１の手段では、ゲタ座金をボルトフック部に溶接する手段が面倒であると共に、ゲタ座金が薄いために余程丁寧に溶接しない限り強力な締付けには対応できず実用的ではなかった。またコイルバネによる緩み止め効果は殆ど期待できるものではなく、逆に振動によってナットの弛みを助長する危惧を包含する。また特許文献２の手段によればフックボルトの軸部や数多い枕木の貫通孔を断面四角等の非真円孔に加工する手段が大変面倒であるとともに、ナットの弛みを防止するためにナット上方に突出させたフックボルトの横穴にＲピンを差し込む等の工程も大変煩雑であって、トータルコストが高くつくといった欠点があった。
【０００４】
そこで本発明は、下方のフック部とボルトとを別体で形成するものでありながら、ボルトを締め付ける際にボルトとフック部が共回りすることを未然に防止し、しかもＲピン等の複雑な緩み止め部材を使用することなく確実にボルトの弛みの発生を防止することのでできる新規なフックボルトを安価に提供することを主たる目的とするものである。
【課題を解決するための手段】
【０００５】
上記目的を達成する為に本発明では次のような技術的手段を講じた。即ち、本発明に係るフックボルトにあっては、実質的な回動操作部となる頭部と軸部とを備えたボルトと、該ボルトが螺合される貫通ネジ孔を備えたフック部材と、前記ボルトに螺合されるネジ孔を備えたナット部材とから構成される。前記フック部材の下面で貫通ネジ孔の周縁にリング状の凸部又は凹部が形成され、ナット部材の上面でナットネジ孔周縁に前記フック部材の凸部又は凹部に嵌合する凹部又は凸部が設けられ、前記凸部又は凹部の何れか一方がボルト軸芯に対して偏芯して形成されている。このナット部材をフック部材を貫通したボルト先端に螺合したときに、何れか一方が偏芯した凸部と凹部との嵌合によりフック部材とナット部材がボルト軸芯に対して相対的に直交する方向に圧迫されてボルトの自然回動を防止するように構成されている。更に前記フック部材に被締結部材の下面に当接するフック部と被締結部材の一部に係合する回動阻止片とが設けられていてボルト締付けの際にボルトとフック部材との共回りを防止する構造となっている。
【０００６】
前記ナット部材は締付け回動操作が工具なしで手で容易にできるように、外周から放射方向に延びたハンドル片を設けるのが好ましいが、スパナやボックスレンチ等の工具で回動できるようにスタンダードな六角形状又は四角形状で形成してもよい。
【発明の効果】
【０００７】
本発明のフックボルトは、ボルトのネジ部をフック部材のネジ孔に螺合して締め付けるだけでボルトとフック部材が共回りすることなく簡単に枕木等の被固定物を鋼材等の被締結部材に固定することができると共に、締付け後にナット部材をフック部材から露出したボルト先端に螺合することにより互いに嵌合する凸部又は凹部の偏芯構造によって、ボルトとフック部材とが相対的にボルト軸芯に対して直交する方向に圧迫されてロックされ、これにより振動等によるボルトの自然回動を確実に防止することができる。加えて、枕木等の被固定物が経年でヤセた場合でも、ボルト頭部を回動工具で締め付けるだけで簡単に増し締めができて補修が容易であり、更には、被固定物上面にはボルトの頭部が少し出るだけで従来のようなボルト軸部が長く突出することないので歩行時の安全性が確保できる、といった種々の優れた効果がある。
【発明を実施するための最良の形態】
【０００８】
以下において本発明の具体的な内容を図に示した実施例に基づき説明する。本発明にかかるフックボルトは、実質的な回動操作部２ａとなる六角形の頭部２と、外ネジ３ａを有する垂直な軸部３とを備たボルト１と、該ボルト１が螺合される貫通ネジ孔５を備えたフック部材４と、前記ボルト１に螺合するネジ孔１０を備え且つ外周に放射方向に突出した回動用のハンドル１２を備えたナット部材９とから構成されている。
【０００９】
前記フック部材４には被締結部材即ちＨ型鋼１３の下面１３ａに当接するフック部７と、Ｈ型鋼１３の前端面１３ｂに当接する回動阻止片８とが設けられていてボルト締付けの際にボルト１とフック部材４との共回りを防止するように構成されている。更にフック部材４の下面でネジ孔５の周縁部に台形をなしたリング状の凸部６が形成されており、ナット部材９の上面でネジ孔１０の周縁部に前記フック部材４の凸部６が嵌合する逆台形状の凹部１１が設けられている。そして前記凸部６又は凹部１１の何れか一方、本実施例にあっては凸部６がボルト軸芯に対して偏芯して形成されている。これによりナット部材９をフック部材４を貫通したボルト先端に螺合したときに、凹部１１と偏芯した凸部６との嵌合摺接によりフック部材４とナット部材９がボルト軸芯に対して相対的に直交する方向に圧迫されてボルトをロックしその自然回動を阻止するように構成されている。
【００１０】
上記のごとく構成されたフックボルトを使用するにあたって、橋梁等の梁となるＨ型鋼１３の上部に載置された枕木１４に設けられた貫通孔１５にボルト１の軸部３を挿通して下方に露出させ、その露出した軸部３をフック部材４のネジ孔５に螺合させて締め付けることにより枕木１４を固定することができる。この際、フック部材４のフック部７をＨ型鋼１３の下面１３ａに位置させると共に回動阻止片８をＨ型鋼１３の前端面１３ｂに当接させることにより、ボルト回動時のフック部材４の共回りを確実に防止できて締付け作業を容易に行うことができる。ボルト１を所定のトルクで締め付けた後、ナット部材９をフック部材６から露出したボルト先端に螺合してフック部材４の偏芯凸部６をナット部材９の凹部１１に嵌合させることにより、凸部６の偏芯効果によって、ボルト１とナット部材１１並びにフック部材４とが相対的にボルト軸芯に対して直交する方向に圧迫されてロックされ、これにより振動等によるボルトの自然回動を確実に防止することができる。また枕木１４が経年でヤセた場合、枕木上面に表れたボルト頭部２を回動工具で締め付けるだけで簡単に増し締めができて補修が容易である。更に、枕木上面には従来のような軸部が長く突出することなく、ボルトの頭部が少し出るだけなので歩行時の安全性を確保することができる。
【００１１】
上記実施例では、凸部６をフック部材４に設け、凹部１１をナット部材９に設けたが、図４に示すように偏芯した凸部６をナット部材に設け、凹部１１をフック部材４に設けてもよい。また上記実施例では凸部６を偏芯させたが、凹部１１を偏芯させて構成することも可能である。この場合でも先の実施例と同じ効果が期待できる。またボルト頭部２の回動操作部２ａは実施例で示したような六角形状に限るものでなく、任意の回動工具が係合する形状であればどのような形態であってもよい。また、上記実施例では前記ナット部材９の締付け回動操作が工具なしで手で容易にできるように、外周から放射方向に延びたハンドル片１２を設けたが、スパナやボックスレンチ等の工具で回動できるようにナット部材９の外形をスタンダードな六角形状又は四角形状で形成してもよい。
【産業上の利用可能性】
【００１２】
本発明のフックボルトは、上述した橋梁の枕木固定用としての用途の他に、例えば建築用の梁材を鋼材に固定する場合やその他の種々の用途に利用することが可能である。
【図面の簡単な説明】
【００１３】
【図１】本発明に係るフックボルトの一実施例を示す斜視図
【図２】本発明に係るフックボルトの使用例を示す斜視図
【図３】本発明に係るフックボルトの使用状態を示す断面図
【図４】本発明に係るフックボルトの他の実施例の使用例を示す斜視図
【符号の説明】
【００１４】
１  ボルト
２  ボルトの頭部
２ａ  回動操作部
３  ボルト軸部
３ａ  ネジ部
４  フック部材
５  フック部材の貫通ネジ孔
６  凸部
７  フック部
８  回動阻止片
９  ナット部材
１０  ナット部材のネジ孔
１１  凹部
【図１】
2005233292.tif 000003
【図２】
2005233292.tif 000004
【図３】
2005233292.tif 000005
【図４】
2005233292.tif 000006